(57)【要約】【解決手段】電気コネクタ組立体は複数の電線を終端している。非導電性コネクタハウジングは複数の信号端子を取付けている。電線処理モジュールは複数の接地端子を取付けた非導電性本体を含んでいる。該本体は、複数の信号導体と複数の電線の接地導体を位置決めし、該接地導体は接地端子に終端される。信号端子へ終端するための所定の位置に信号線がある状態で、電線処理モジュールをハウジングに取付けるために、接地端子はコネクタハウジングとともに相互係合する。
2005531119.tif 000002
【特許請求の範囲】
【請求項１】
複数の電線を終端する電気コネクタ組立体であって、
複数の第１の導電端子を取付ける非導電性コネクタハウジングと、
電線処理モジュールであって、複数の第２の導電端子を取付ける非導電性本体と、該非導電性本体上に設けられ、電線を保持し、複数の第１の電線導体を位置決めし、第２の導電端子に終端するために複数の第２の電線導体を位置決めする手段とを含む電線処理モジュールと、
コネクタハウジングと第２の導電端子との間に設けられ、第１の導電端子への終端のための所定の位置に第１の電線導体がある状態で、電線処理モジュールをコネクタハウジングに取付ける相補的相互係合手段とを有する電気コネクタ組立体。
【請求項２】
前記第１の導電端子が信号端子であり、前記第２の導電端子が接地端子である、請求項１に記載の電気コネクタ組立体。
【請求項３】
前記コネクタハウジングが、前記第２の導電端子を圧入する複数の端子収容スロットを含み、それにより、前記第１の電線導体の少なくとも１つが、ハウジングと電線処理モジュールとの間の開口部の下の前記第１の導電端子の対応するものの上に位置決めされる、請求項１に記載の電気コネクタ組立体。
【請求項４】
前記電線処理モジュールの非導電性本体が２つの部分から成る構造を備え、それらの間で電線をクランプする、請求項１に記載の電気コネクタ組立体。
【請求項５】
前記本体の２つの部分が向い合った溝を含み、それらの中で電線を位置決めする、請求項４に記載の電気コネクタ組立体。
【請求項６】
前記第２の導電端子が、電線処理モジュールの非導電性本体内のスロットに相互係合された耳を含む打抜金属部品である、請求項１に記載の電気コネクタ組立体。
【請求項７】
前記電線処理モジュールの非導電性本体が２つの部分から成る構造を備え、それらの間で第２の導電端子をクランプする、請求項１に記載の電気コネクタ組立体。
【請求項８】
前記第２の導電端子が、非導電性本体の２つの部分のスロットに相互係合される両側の耳を画定するＴ形部を含む打抜金属部品である、請求項７に記載の電気コネクタ組立体。
【請求項９】
複数の電線を終端する電気コネクタ組立体であって、
複数の信号端子を取付けるとともに、複数の接地端子収容スロットを含む非導電性コネクタハウジングと、
複数の接地端子を間に入れてクランプする２つの部分から成る非導電性本体を含み、該非導電性本体の２つの部分が、それらの間で電線を位置決めするとともにクランプする電線処理モジュールと、
信号端子への終端のための所定の位置に電線がある状態で、電線処理モジュールをコネクタハウジングに取付ける接地端子上の手段とを有する電気コネクタ組立体。
【請求項１０】
前記本体の２つの部分が向い合った溝を含み、それらの中で電線を位置決めする、請求項９に記載の電気コネクタ組立体。
【請求項１１】
前記接地端子が、電線処理モジュールの２つの部分から成る非導電性本体のスロットに相互係合された耳を含む打抜金属部品である、請求項９に記載の電気コネクタ組立体。
【発明の詳細な説明】
【技術分野】
【０００１】
本発明は、一般に電気コネクタの技術分野に関し、詳細には、複数の電線を終端するための電気コネクタ組立体であって、電線を終端するための位置決めを容易にする電線処理モジュールを有する電気コネクタ組立体に関する。
【背景技術】
【０００２】
電気コネクタは、一般に、複数の導電端子を取付けるための何らかの形の絶縁体、又は、誘電体ハウジングを有する。幾つかのコネクタでは、端子は、プリント回路基板等の様々な電子装置に直接終端されるか又は接続される。他のコネクタでは、端子は、特定の電気システム内でコネクタを導くか又は結合する個別の電線に終端される。
【発明の開示】
【発明が解決しようとする課題】
【０００３】
電気コネクタの端子を個別の電線に接続又は終端する際に、適切に終端させるために電線を位置決めする際に必ず問題が生じる。特に、これは、絶えず小型化し高密度化している現代の電気コネクタに当て嵌る。その結果、コネクタ端子に終端させるために電線を収容して位置決めするために、様々な電線処理システムが設計された。
【０００４】
１つのタイプの電線処理システムは、コネクタハウジングと一体的にモールド成形された電線処理部材又は部品を使用する。そのようなシステムは、かなり重度な、時には不具合となるような成形上の問題を引起こす。他の電線処理システムは、コネクタハウジングと別体であるが、何らかの形の取付手段で取付けられた電線処理部材を使用している。残念ながら、この取付手段は、しばしば、コネクタの小型化、又は、高密度化に望ましくないコネクタ上の貴重な場所、すなわち、「スペース（real estate)」を占有する。
【０００５】
端子の幾つかを使用して電線処理モジュールをハウジングに取付けることによって、露出した導体が、端子の後部に対してより正確に配置されるようになる。また、ケーブルにかかる力は、電線導体と各端子との間にできた接続部を通らない。最後に、この構成は、電気接続を行うために必要な適切な装置に対して空間的アクセスを提供する。
【０００６】
本発明は、コネクタ組立体内に使用されている端子自体のうちの少なくとも幾つかによって、電線処理モジュールがコネクタハウジングに取付けられた新規で、かつ、改善されたシステムを提供することによって様々な問題を解決するものである。これにより、一体型電線処理システムの成形上の問題と別体型電線処理システムのスペース問題が回避される。
【０００７】
したがって、本発明の目的は、複数の電線を終端させるための新規で、かつ、改善された電気コネクタ組立体を提供することである。
【課題を解決するための手段】
【０００８】
本発明の例示的な実施形態において、コネクタ組立体は、複数の第１の導電端子を取付けた絶縁性コネクタハウジングを含む。電線処理モジュールは、複数の第２の導電端子を取付けた絶縁性本体を含む。該絶縁性本体には、第２の導電端子に終端するための複数の第２の電線と複数の第１の電線とを位置決めする電線保持手段が設けられている。第１の導電端子への終端のための所定の位置に第１の電線導体がある状態で、電線処理モジュールをコネクタハウジングに取付けるために、相補的相互係合可能な取付手段がコネクタハウジングと第２の導電端子との間に設けられている。
【０００９】
本明細書に開示したように、第１の導電端子は信号端子であり、第２の導電端子は接地端子である。コネクタハウジングは、電線処理モジュールをコネクタハウジングに取付けるために、第２の導電端子を圧入する複数の端子収容スロットを含む。
【００１０】
本発明の一形態によれば、電線処理モジュールの絶縁性本体は２つの部分から成る構造を備え、電線をそれらの間でクランプする。また、絶縁性本体の２つの部分は、それらの間で第２の導電端子をクランプする。本体の２つの部分は向い合った溝を含み、それらの中で電線を位置決めする。第２の導電端子は、打抜金属部品であり、絶縁性本体の２つの部分のスロットに相互係合される両側の耳を画定するＴ字形部を含む。本発明の他の目的、特徴及び利点は、以下の説明から明らかになるであろう。
【発明を実施するための最良の形態】
【００１１】
本発明の新規であると考えられる特徴は、添付の特許請求の範囲に詳細に説明されている。本発明は、その目的及び利点とともに、添付図面と関連した以下の説明を参照することによって最も理解することができ、図において、類似の参照符号は類似の要素を示す。
【００１２】
図面をより詳細に参照して説明を行う。最初に図１及び２を詳細に参照すると、本発明は、複数の電線１２を終端するための、全体を１０で示した電気コネクタ組立体において実施される。この図では１本の電線だけを示している。コネクタ組立体は、複数の第１の端子、すなわち、信号端子１６を取付けた絶縁性又は非導電性コネクタハウジング１４を含む。全体を１８で示した電線処理モジュールには、全体を２０で示した複数の第２の端子、すなわち、接地端子が取付けられている。本発明によれば、後で理解されるように、電線処理モジュール１８は、接地端子２０を使用することによってコネクタハウジング１４の後に取付けられる。
【００１３】
図１及び２とともに図３を参照すると、第１の端子、すなわち、信号端子１６は、コネクタハウジング１４の舌状部２２の両側に取付けられた、又は、付着された薄い板状端子である。図３から分かるように、電線の１対の信号導体２４がコネクタハウジング１４の舌状部２２に対向する位置であって信号端子を終端させるのに正しい位置となるように、電線処理モジュール１８が電線１２を収容し位置決めしている。また、電線１２は、後に示す目的のために接地導体２６を含む。
【００１４】
図４は、接地端子２０のうちの１つの構成を示す。接地端子は、図２で最もよく分かるように、コネクタ組立体の幅に沿って信号端子１６と交互になっている。図４の描写は、各接地端子２０の構成の描写を分かり易くするために、端子モジュール１８（図３）の絶縁性本体が除去されているという点で多少非現実的である。
【００１５】
具体的には、図４に示したような各接地端子２０は、反対方向を向いた耳３０を画定するＴ字形の後部２０ａを有する打抜金属部品である。接地端子は、両側縁に歯２０ｃが形成された前方保持部２０ｂを有する。組立においては、接地端子２０は、コネクタ本体１４の後面の複数の端子収容スロット３２に圧入される。スロット３２内に接地端子が複合的に保持されることによって、接地端子以外の外部取付部品を使用せずに、電線処理モジュール１８全体がコネクタハウジングに有効に取付けられる。接点部２０ｄは、各接地端子２０から前方に突出し、コネクタハウジングの舌状部２２内のスロット３４内に配置される。最後に、それぞれの電線１２の接地導体２６が、はんだ付等によって接地端子２０に終端される。これは、接地端子内の溝２０ｅに接地導体を位置決めすることによって容易に行うことができる。
【００１６】
電線処理モジュール１８は、図１及び２で分かるように、全体を３８で示した絶縁性本体を含む。該絶縁性本体に、接地端子２０を装着するとともに、電線１２を位置決めしている。絶縁性本体３８は、２つの同一若しくは雌雄両方の特徴を有する部品、又は、半体４０で構成された２つの部分から成る構造である。
【００１７】
図５に、電線処理モジュール１８の絶縁性本体３８の２つの半体４０を示す。各半体は、半体を一緒に保持するために、他方の半体にある１対の穴４４に圧入されるか、又は、打込まれる１対のポスト４２を含む。各半体４０の内側面は、電線２０を適切に位置決めする複数の向い合ったほぼ平行な溝４６を備える。また、内側面は、向い合ったリップ５０を有する。該リップは、露出された導体電線２４の最初の部分の近傍において内側面から延在し、インピーダンス及びキャパシタンスの制御を支援するために電線間に誘電性のバリヤを形成する。各半体４０は、互いに当接し、電線の信号導体２４を分離し、間隔をあける複数の仕切５０を含む。
【００１８】
電線処理モジュール１８の半体４０の組立において、一方の半体のポスト４２が他方の半体の穴４４に圧入によって差込まれるか、あるいは、ポストを打込んで、半体同士を永久的に固定することができる。半体を組立てるとき、電線とその各信号導体及び接地導体自体の操作を容易にするために、半体の内側面の溝４６が、電線１２を収容し、位置決めし、クランプする。更に、半体を組立てるとき、接地端子２０の両側の耳３０（図４）が、各半体を貫通して延在するスロット４８に差込まれる。これにより、接地端子が取付けられ、適切に方向付けされるだけでなく、接地端子が２つの半体の間にクランプされてロックされる。得られた半組立体は、接地端子２０と一体化された絶縁性本体３８（半体４０を含む）を含む独特な電線処理モジュールである。電線２０が電線処理モジュールによってクランプされている状態で、電線の接地導体２６が接地端子に容易に終端される。一方、接地導体は、該接地端子に終端（はんだ付）され、その後で、電線と接地端子が半体の間に留められる。この半組立体全体は、保持部２０ｂ（図４）をコネクタ本体１４の後面の端子収容スロット３２に矢印「Ａ」の方向（図４）に差込むことによって、コネクタ本体１４に容易に取付けられる。このとき、電線処理モジュールは、電線を適切に位置決めし、同時に図３で分かるように、信号導体２４と信号端子１６を電気接続するために必要な適切な装置によるアクセスのために、ハウジング１４と電線処理モジュール１８との間に開口部５２が設けられている。電線処理モジュールとコネクタハウジングとの間の取付手段として接地端子２０を使用することによって、コネクタ組立体のコストを高め、かつ、貴重なスペースを必要とする外部取付手段を完全になくすことができた。更に、コネクタハウジングと独立した電線処理モジュールを備えることによって、絶縁性部品が、極めて容易に成形され、従来技術の複雑な成形上の問題を回避する。
【００１９】
本発明を、その精神又は中心的特徴から逸脱することなく他の特定の形態で実施できることが理解されよう。上記の実施例及び本発明は、本明細書に示した詳細に限定されない。
【図面の簡単な説明】
【００２０】
【図１】本発明の電線処理モジュールを含む電気コネクタ組立体の後面斜視図である。
【図２】コネクタ組立体の上面図である。
【図３】図２の線３−３にほぼ沿って切断された縦断面である。
【図４】図３と類似しているが、電線処理モジュールが取外され、電線に終端され、かつ、コネクタハウジングの後部に差込まれた接地端子のうちの１つを示す図である。
【図５】電線処理モジュールの２つの部分から成る絶縁性本体の分解斜視図である。
【図１】
2005531119.tif 000003
【図２】
2005531119.tif 000004
【図３】
2005531119.tif 000005
【図４】
2005531119.tif 000006
【図５】
2005531119.tif 000007
【手続補正書】
【提出日】平成15年10月9日(2003.10.9)
【手続補正１】
【補正対象書類名】特許請求の範囲
【補正対象項目名】全文
【補正方法】変更
【補正の内容】
【特許請求の範囲】
【請求項１】
複数の電線（１２）を終端する電気コネクタ組立体（１０）であって、
複数の第１の導電端子（１６）を取付ける非導電性コネクタハウジング（１４）と、
電線処理モジュール（１８）であって、複数の第２の導電端子（２０）を間で保持するために２つの部分（４０、４０）から成る構造を備えた非導電性本体と、該非導電性本体上に設けられ、電線を保持し、複数の第１の電線導体（２４）を位置決めし、第２の導電端子（２０）に終端するために複数の第２の電線導体（２６）を位置決めする手段とを含む電線処理モジュール（１８）と、
コネクタハウジング（１４）と第２の導電端子（２０）との間に設けられ、第１の導電端子（１６）への終端のための所定の位置に第１の電線導体がある状態で、電線処理モジュール（１８）をコネクタハウジング（１４）に取付ける相補的相互係合手段（２０ａ、２０ｂ）とを有する電気コネクタ組立体（１０）。
【請求項２】
前記第１の導電端子（１６）が信号端子であり、前記第２の導電端子（２０）が接地端子である、請求項１に記載の電気コネクタ組立体。
【請求項３】
前記コネクタハウジング（１４）が、前記第２の導電端子（２０）を圧入する複数の端子収容スロット（３２）を含み、それにより、前記第１の電線導体の少なくとも１つが、ハウジング（１４）と電線処理モジュール（１８）との間の開口部の下の前記第１の導電端子（１６）の対応するものの上に位置決めされる、請求項１に記載の電気コネクタ組立体。
【請求項４】
前記電線処理モジュール（１８）の非導電性本体が２つの部分（４０、４０）から成る構造を備え、それらの間で電線（１２）をクランプする、請求項１に記載の電気コネクタ組立体。
【請求項５】
前記本体の２つの部分（４０、４０）が向い合った溝（４６）を含み、それらの中で電線（１２）を位置決めする、請求項４に記載の電気コネクタ組立体。
【請求項６】
前記第２の導電端子（２０）が、電線処理モジュール（１８）の非導電性本体内のスロット（４８）に相互係合された耳（３０）を含む打抜金属部品である、請求項１に記載の電気コネクタ組立体。
【請求項７】
前記第２の導電端子（２０）が、非導電性本体の２つの部分（４０、４０）のスロット（４８）に相互係合される両側の耳（３０）を画定するＴ形部（２０ａ）を含む打抜金属部品である、請求項１に記載の電気コネクタ組立体。
【請求項８】
複数の電線を終端する電気コネクタ組立体（１０）であって、
複数の信号端子（１６）を取付けるとともに、複数の接地端子収容スロット（３２）を含む非導電性コネクタハウジング（１４）と、
複数の接地端子（２０）を間に入れてクランプする２つの部分（４０、４０）から成る非導電性本体を含み、該非導電性本体の２つの部分が、それらの間で電線（１２）を位置決めするとともにクランプする電線処理モジュール（１８）と、
信号端子（１６）への終端のための所定の位置に電線（１２）がある状態で、電線処理モジュール（１８）をコネクタハウジング（１４）に取付ける接地端子（２０）上の手段（３０）とを有する電気コネクタ組立体（１０）。
【請求項９】
前記本体の２つの部分（４０、４０）が向い合った溝（４６）を含み、それらの中で電線（１２）を位置決めする、請求項８に記載の電気コネクタ組立体。
【請求項１０】
前記接地端子（２０）が、電線処理モジュール（１８）の２つの部分（４０、４０）から成る非導電性本体のスロット（４８）に相互係合された耳（３０）を含む打抜金属部品である、請求項８に記載の電気コネクタ組立体。
【請求項１１】
打抜接地端子（２０）が、非導電性本体の２つの部分の前記スロット（４８）に相互係合される前記耳（３０）を画定するＴ形部（２０ａ）を含む、請求項１０に記載の電気コネクタ組立体。
【国際調査報告】
2005531119.tif 000008
2005531119.tif 000009
2005531119.tif 000010